(57)【要約】【課題】簡単、かつ確実に設置可能であるとともに、施工完了時の全体構造のコンパクト化を実現可能な雷保護システムを構成する受雷部、及び該受雷部を接続するための接続端子を提供する。【解決手段】その各端部を相互に接続しようとする複数のアルミ受雷部１０の各一端のリップ溝形状断面内にＩ型継手３０や十字型継手３５などの接続端子を挿入した後、皿ビス３０を用いて複数のアルミ受雷部１０の各々の間をそれぞれＩ型継手３０などの接続端子を介して接続固定するようにした。【選択図】　　　図４
2004146124.tif 000002
【特許請求の範囲】
【請求項１】
雷撃を受け止めるための突針、及び該突針と電気的に接続される複数の受雷部を、その各々の間をそれぞれ接続端子を介して接続して、建造物上に設置し、その建造物を落雷から保護する雷保護システムの受雷部であって、
該受雷部は、コ字状断面を有する長尺状のものであり、該コ字状断面内に上記接続端子を挿入し、該受雷部と該接続端子とを接続固定可能なものである、
ことを特徴とする受雷部。
【請求項２】
請求項１に記載の雷保護システムの受雷部において、
該受雷部が有するコ字状断面は、その両先端部を内側に折り曲げたリップ溝形状である、
ことを特徴とする受雷部。
【請求項３】
請求項１または請求項２に記載の雷保護システムの受雷部において、
該受雷部は、その両端のコ字状断面部の上面に、該コ字状断面部と該コ字状断面内に挿入される上記接続端子とを接続固定するための皿ビスを挿入可能なネジ穴を有する、
ことを特徴とする受雷部。
【請求項４】
請求項１ないし請求項３のいずれか１項に記載の雷保護システムの受雷部において、
該受雷部は、材質はアルミニウムで、表面をアルマイト加工してなるものである、
ことを特徴とする受雷部。
【請求項５】
請求項１ないし請求項４のいずれか１項に記載の雷保護システムの受雷部において、
該受雷部は、その横幅が２０ｍｍ、その長さが４ｍ〜５ｍ、その高さが９．８ｍｍ、その断面積が１００ｍｍ２である、
ことを特徴とする受雷部。
【請求項６】
請求項１ないし請求項４のいずれか１項に記載の雷保護システムの受雷部において、
該受雷部は、その横幅が２０ｍｍ、その長さが５ｍ、その高さが８．３ｍｍ、その断面積が７０ｍｍ２である、
ことを特徴とする受雷部。
【請求項７】
請求項１ないし請求項６のいずれか１項に記載の雷保護システムの受雷部において、
該雷保護システムを構成する全ての受雷部を上記建造物上に設置したとき、上記雷保護システムの末端に位置する受雷部の開放端を被覆保護する端末キャップを有するものである、
ことを特徴とする受雷部。
【請求項８】
雷撃を受け止めるための突針、及び該突針と電気的に接続される複数の受雷部を、その各々の間をそれぞれ接続端子を介して接続して、建造物上に設置し、その建造物を落雷から保護する雷保護システムの接続端子であって、
上記受雷部はコ字状断面を有する長尺状のものであり、
上記接続端子は、その各端部が相互に接続しようとする上記複数の受雷部の各一端のコ字状断面内に挿入されて、該受雷部の一端と接続固定され、上記複数の受雷部の相互間を接続固定するものである、
ことを特徴とする接続端子。
【請求項９】
請求項８に記載の雷保護システムの接続端子において、
上記受雷部が有するコ字状断面は、その両先端部を内側に折り曲げたリップ溝形状であり、
上記接続端子は、上記リップ溝形状断面内に挿入されて、上記複数の受雷部の相互間を接続固定するものである、
ことを特徴とする接続端子。
【請求項１０】
請求項８または請求項９に記載の雷保護システムの接続端子において、
該接続端子は、その各端部の上面に、上記受雷部と接続固定するための皿ビスを挿入可能なネジ穴を有する、
ことを特徴とする接続端子。
【請求項１１】
請求項８ないし請求項１０のいずれか１項に記載の雷保護システムの接続端子において、
該接続端子は、アルミニウム材の表面をアルマイト加工してなるものである、
ことを特徴とする接続端子。
【請求項１２】
請求項８ないし請求項１１のいずれか１項に記載の雷保護システムの接続端子において、
該接続端子は、上記複数の受雷部の各々の間を、該受雷部の長手方向に一直線になるよう、接続固定するものである、
ことを特徴とする接続端子。
【請求項１３】
請求項８ないし請求項１１のいずれか１項に記載の雷保護システムの接続端子において、
該接続端子は、上記各受雷部のコ字状断面内に挿入される、２つの接合部を有する、
ことを特徴とする接続端子。
【請求項１４】
請求項１３に記載の雷保護システムの接続端子において、
該接続端子は、上記各接合部に挿入された受雷部をＬ字型に接続するものである、
ことを特徴とする接続端子。
【請求項１５】
請求項８ないし請求項１１のいずれか１項に記載の雷保護システムの接続端子において、
該接続端子は、上記各受雷部のコ字状断面内に挿入される、３つの接合部を有する、
ことを特徴とする接続端子。
【請求項１６】
請求項８ないし請求項１１のいずれか１項に記載の雷保護システムの接続端子において、
該接続端子は、上記各受雷部のコ字状断面内に挿入される、４つの接合部を有する、
ことを特徴とする接続端子。
【請求項１７】
請求項８ないし請求項１１のいずれか１項に記載の雷保護システムの接続端子において、
該接続端子は、上記受雷部から導線を分岐接続するための分岐端子である、
ことを特徴とする接続端子。
【請求項１８】
請求項１７に記載の雷保護システムの接続端子において、
上記分岐端子は、
上記受雷部のコ字状断面内に挿入される、２つの接合部と、
分岐接続しようとする導線を挿入して取り付ける導線取付部と、
該導線取付部を被覆保護するとともに固定するための蓋体と、を有するものである、
ことを特徴とする接続端子。
【請求項１９】
請求項１８に記載の雷保護システムの接続端子において、
上記分岐端子の上記導線取付部の内部は銅製である、
ことを特徴とする接続端子。
【請求項２０】
請求項１８に記載の雷保護システムの接続端子において、
上記蓋体は、回転可能なヘッドを有する、上記導線取付部を被覆する筒型形状であって、上記ヘッドを回転させることにより上記導線取付部を圧着し、該導線取付部に上記導線を固定する、
ことを特徴とする接続端子。
【発明の詳細な説明】
【０００１】
【発明の属する技術分野】
本発明は、建造物等に設置される雷保護システムに関するものであり、特に、雷撃を受け止める受雷部、及び該受雷部を他の受雷部に接続するための接続端子に関するものである。
【０００２】
【従来の技術】
従来、建造物の屋上に設置される雷保護システムは、雷撃を受け止めるための突針、及び該突針と電気的に接続される複数の受雷部を、その各々の間をそれぞれ接続端子を介して接続して建造物上に設置し、その建造物を落雷から保護するものである（例えば、特許文献１参照）。
【０００３】
ここで、受雷部としてアルミ導帯を用い、該アルミ導帯を一直線上に複数接続するためのＩ型継手について図２０を用いて説明する。図２０はＩ型継手を用いてアルミ導帯を接合した場合の施工図である。なお、ここでは、接続端子としてはＩ型継手以外に、Ｌ型継手、Ｔ型継手、十字型継手などがある。
【０００４】
まず、複数のアルミ導帯１をＩ型、つまり一直線上に並べ、該複数のアルミ受雷部１のつなぎ目部分にＩ型継手３を重ね、ボルトとナットよりなるネジ部材２を用いて接続固定する。そして、接続固定されたアルミ導帯１は、支持金物４により支持され、パラペットや屋上床面上に設置される。
【０００５】
なお、アルミ導帯１は、雷撃を受け止めるためのものであり、その横幅が２５ｍｍ、その長さが４ｍ、その高さが４ｍｍ、その断面積が１００ｍｍ２の直方体である。
このようにして、アルミ導帯１を所定位置に一直線上に設置することができる。
【０００６】
次に、上記複数のアルミ導帯１から避雷導線を分岐するための分岐端子について図２１を用いて説明する。図２１（ａ）は分岐端子を用いた場合の平面図、図２１（ｂ）は正面図である。ここで示す分岐端子５は、アルミ導帯１から避雷導線６を分岐するものである。なお、分岐端子５の材質は、外側がアルミ製であり、内側が銅製である。また、ネジ部材２の材質は耐食アルミ合金である。
【０００７】
まず、分岐端子５の所定部位にアルミ導帯１及び避雷導線６の各々を取り付け、アルミ導帯１はボルトとナットよりなるネジ部材２を用いて接続固定し、避雷導線６はビスを用いて接続固定した後、半田ロー付けを行う。
このように、分岐端子５を用いて上記アルミ導帯１から上記避雷導線６を分岐接続することができる。
【０００８】
【特許文献１】
特開平６−８９７４６号公報
【特許文献２】
特開平８−１６３７６１号公報
【０００９】
【発明が解決しようとする課題】
しかしながら、雷保護システムは、建造物の高所など足場が悪い場所で利用することが多いため危険を伴い、さらに、高度な技術を必要とする溶接処理をも行わなければならないため、取り替えなどの必要性のない、長期間使用できる雷保護システムが必要とされている。
【００１０】
また、上記アルミ導帯や上記接続端子の材質として使用されているアルミニウムやアルミ合金は、表面は自然酸化皮膜で保護されているので耐食性が良いが、自然酸化皮膜のままでは耐食性は十分ではなく、また、表面の硬さも十分ではないため、人工的な皮膜・塗膜を生成するためには表面処理が必要である。
【００１１】
また、上記従来の分岐端子は、ビスなどのネジ部材を用いて避雷導線を接続固定しているが、何らかの外部からの衝撃や、温度変化による避雷導線の伸縮などにより避雷導線の接続固定がはずれてしまう。そのため、上記ネジ部材を用いて避雷導線を接続固定した後、半田ロー付けを行っているが、この作業は現場で行うため、手間がかかるとともに、高所などの足場が悪い場所であれば、危険が伴う。
【００１２】
本発明は、上記問題点を解決するためになされたものであり、簡単、かつ確実に設置可能な雷保護システムを構成する受雷部、及び該受雷部を接続するための接続端子を提供することを目的とする。
【００１３】
【課題を解決するための手段】
上記課題を解決するために、本発明の請求項１にかかる雷保護システムの受雷部は、雷撃を受け止めるための突針、及び該突針と電気的に接続される複数の受雷部を、その各々の間をそれぞれ接続端子を介して接続して、建造物上に設置し、その建造物を落雷から保護する雷保護システムの受雷部であって、該受雷部は、コ字状断面を有する長尺状のものであり、該コ字状断面内に上記接続端子を挿入し、該受雷部と該接続端子とを接続固定可能なものである、ことを特徴とするものである。
これにより、簡単な構成で、かつ、設置も容易な雷保護システムを実現可能である。
【００１４】
また、本発明の請求項２にかかる雷保護システムの受雷部は、請求項１に記載の雷保護システムの受雷部において、該受雷部が有するコ字状断面は、その両先端部を内側に折り曲げたリップ溝形状である、ことを特徴とするものである。
【００１５】
これにより、複数の受雷部を接続するための接続端子が、何らかの衝撃などによりはずれ、紛失してしまったりするのを防ぐとともに、複数の受雷部の間の接続をより簡単に行うことができる。
【００１６】
また、本発明の請求項３にかかる雷保護システムの受雷部は、請求項１または請求項２に記載の雷保護システムの受雷部において、該受雷部は、その両端のコ字状断面部の上面に、該コ字状断面部と該コ字状断面内に挿入される上記接続端子とを接続固定するための皿ビスを挿入可能なネジ穴を有する、ことを特徴とするものである。
これにより、受雷部と接続端子との接続部分と、該受雷部を等価断面とすることができ、その結果、雷保護システム全体をコンパクトにすることができる。
【００１７】
また、本発明の請求項４にかかる雷保護システムの受雷部は、請求項１ないし請求項３のいずれか１項に記載の雷保護システムの受雷部において、該受雷部は、材質はアルミニウムで、表面をアルマイト加工してなるものである、ことを特徴とするものである。
これにより、該受雷部の耐食性、及び表面の剛性を大きく向上させることができる。
【００１８】
また、本発明の請求項５にかかる雷保護システムの受雷部は、請求項１ないし請求項４のいずれか１項に記載の雷保護システムの受雷部において、該受雷部は、その横幅が２０ｍｍ、その長さが４ｍ〜５ｍ、その高さが９．８ｍｍ、その断面積が１００ｍｍ２である、ことを特徴とするものである。
これにより、従来の受雷部に比し、その横幅を減少させることができ、その結果、雷保護システム全体をコンパクトにすることができる。
【００１９】
また、本発明の請求項６にかかる雷保護システムの受雷部は、請求項１ないし請求項４のいずれか１項に記載の雷保護システムの受雷部において、該受雷部は、その横幅が２０ｍｍ、その長さが５ｍ、その高さが８．３ｍｍ、その断面積が７０ｍｍ２である、ことを特徴とするものである。
これにより、従来の受雷部に比し、その横幅を減少させることができ、その結果、雷保護システム全体をよりコンパクトにすることができる。
【００２０】
また、本発明の請求項７にかかる雷保護システムの受雷部は、請求項１ないし請求項６のいずれか１項に記載の雷保護システムの受雷部において、該雷保護システムを構成する全ての受雷部を上記建造物上に設置したとき、上記雷保護システムの末端に位置する受雷部の開放端を被覆保護する端末キャップを有するものである、ことを特徴とするものである。
【００２１】
これにより、受雷部の破損を防ぐことができ、該受雷部の末端の保護のための無駄な手間を省くことができ、雷保護システムの設置のためのコストの削減を得ることができる。
【００２２】
また、本発明の請求項８にかかる雷保護システムの接続端子は、雷撃を受け止めるための突針、及び該突針と電気的に接続される複数の受雷部を、その各々の間をそれぞれ接続端子を介して接続して、建造物上に設置し、その建造物を落雷から保護する雷保護システムの接続端子であって、上記受雷部はコ字状断面を有する長尺状のものであり、上記接続端子は、その各端部が相互に接続しようとする上記複数の受雷部の各一端のコ字状断面内に挿入されて、該受雷部の一端と接続固定され、上記複数の受雷部の相互間を接続固定するものである、ことを特徴とするものである。
これにより、簡単な構成で、かつ、設置も容易な雷保護システムを実現可能である。
【００２３】
また、本発明の請求項９にかかる雷保護システムの接続端子は、請求項８に記載の雷保護システムの接続端子において、上記受雷部が有するコ字状断面は、その両先端部を内側に折り曲げたリップ溝形状であり、上記接続端子は、上記リップ溝形状断面内に挿入されて、上記複数の受雷部の相互間を接続固定するものである、ことを特徴とするものである。
これにより、受雷部を接続端子に堅固に接続することができる。
【００２４】
また、本発明の請求項１０にかかる雷保護システムの接続端子は、請求項８または請求項９に記載の雷保護システムの接続端子において、該接続端子は、その各端部の上面に、上記受雷部と接続固定するための皿ビスを挿入可能なネジ穴を有する、ことを特徴とするものである。
これにより、受雷部を接続端子により堅固に取り付けることができる。
【００２５】
また、本発明の請求項１１にかかる雷保護システムの接続端子は、請求項８ないし請求項９のいずれか１項に記載の接続端子において、該接続端子は、アルミニウム材の表面をアルマイト加工してなるものである、ことを特徴とするものである。
これにより、接続端子の耐食性、及び表面の剛性を大きく向上させることができる。
【００２６】
また、本発明の請求項１２にかかる雷保護システムの接続端子は、請求項８ないし請求項１１のいずれか１項に記載の接続端子において、該接続端子は、上記複数の受雷部の各々の間を、該受雷部の長手方向に一直線になるよう、接続固定するものである、ことを特徴とするものである。
これにより、複数の受雷部を一直線上に設置することができる。
【００２７】
また、本発明の請求項１３にかかる雷保護システムの接続端子は、請求項８または請求項９に記載の接続端子において、該接続端子は、請求項８ないし請求項１１のいずれか１項に記載の雷保護システムの接続端子において、該接続端子は、上記各受雷部のコ字状断面内に挿入される、２つの接合部を有する、ことを特徴とするものである。
これにより、受雷部を二方向に分岐接続させて設置することができる。
【００２８】
また、本発明の請求項１４にかかる雷保護システムの接続端子は、請求項１３に記載の雷保護システムの接続端子において、該接続端子は、上記各接合部に挿入された受雷部をＬ字型に接続するものである、ことを特徴とするものである。
これにより、受雷部をＬ字型に設置することができる。
【００２９】
また、本発明の請求項１５にかかる雷保護システムの接続端子は、請求項８ないし請求項１１のいずれか１項に記載の雷保護システムの接続端子において、該接続端子は、上記各受雷部のコ字状断面内に挿入される、３つの接合部を有する、ことを特徴とするものである。
これにより、受雷部をＴ字型に設置することができる。
【００３０】
また、本発明の請求項１６にかかる雷保護システムの接続端子は、請求項８ないし請求項１１のいずれか１項に記載の接続端子において、該接続端子は、上記各受雷部のコ字状断面内に挿入される、４つの接合部を有する、ことを特徴とするものである。
これにより、受雷部を十字型に設置することができる。
【００３１】
また、本発明の請求項１７にかかる雷保護システムの接続端子は、請求項８ないし請求項１１のいずれか１項に記載の接続端子において、該接続端子は、上記受雷部から導線を分岐接続するための分岐端子である、ことを特徴とするものである。
これにより、受雷部から導線を分岐接続することができる。
【００３２】
また、本発明の請求項１８にかかる雷保護システムの接続端子は、請求項１７に記載の接続端子において、上記分岐端子は、上記受雷部のコ字状断面内に挿入される、２つの接合部と、分岐接続しようとする導線を挿入して取り付ける導線取付部と、該導線取付部を被覆保護するとともに固定するための蓋体と、を有するものである、ことを特徴とするものである。
これにより、簡単な構成で導線を被覆保護し、受雷部から分岐接続することができ、また、従来のネジを用いた固定よりも導線がはずれにくい。
【００３３】
また、本発明の請求項１９にかかる雷保護システムの接続端子は、請求項１８に記載の接続端子において、上記分岐端子の上記導線取付部の内部は銅製である、ことを特徴とするものである。
これにより、銅導線を分岐接続することができる。
【００３４】
また、本発明の請求項２０にかかる雷保護システムの接続端子は、請求項１８に記載の雷保護システムの接続端子において、上記蓋体は、回転可能なヘッドを有する、上記導線取付部を被覆する筒型形状であって、上記ヘッドを回転させることにより上記導線取付部を圧着し、該導線取付部に上記導線を固定する、ことを特徴とするものである。
これにより、より確実にかつ堅固に受雷部から導体を分岐接続することができる。
【００３５】
【発明の実施の形態】
以下、本発明の実施の形態について図面を参照しながら説明する。なお、ここで示す実施の形態はあくまでも一例であって、必ずしもこの実施の形態に限定されるものではない。
【００３６】
（実施の形態１）
以下に、本発明の実施の形態１による雷保護システムの受雷部、該受雷部を接続するための接続端子について図１〜図２２を用いて説明する。
【００３７】
まず、受雷部について図１及び図２を用いて説明する。なお、ここでは、リップ溝形状断面を有する受雷部について説明するが、コ字状断面を有する受雷部を用いても良い。
【００３８】
図１は、受雷部の構成図であり、図１（ａ）は受雷部の平面図、図１（ｂ）は正面図、図１（ｃ）は底面図、図１（ｄ）は側面図である。
【００３９】
アルミ受雷部１０は、図１（ｄ）に示したようなリップ溝形状断面（取付口１０ｂ）を有する長尺状のものであり、該リップ溝形状断面内に上記接続端子を挿入し、該受雷部と該接続端子とを接続固定可能なものであり、その両端のリップ溝形状断面部の上面に、該リップ溝形状断面部と該リップ溝形状断面部内に挿入される上記接続端子とを接続固定するための皿ビスを挿入可能なネジ穴１０ａを有するものである。
【００４０】
なお、アルミ受雷部１０は、その横幅が２０ｍｍ、その長さが４ｍ〜５ｍ、その高さが９．８ｍｍ、その断面積が１００ｍｍ２である。また、その横幅２０ｍｍ、その長さ５ｍ、その高さ８．３ｍｍ、その断面積７０ｍｍ２である受雷部を用いるようにすれば、雷保護システム全体をよりコンパクトにすることができる。
また、アルミ受雷部１０は、アルミニウム材の表面をアルマイト加工されてなるものであり、受雷部の耐食性、及び表面の剛性を向上させることができる。
【００４１】
図２は、皿ビスを示す図であり、（ａ）は平面図、（ｂ）は正面図である。
２０は皿ビスであり、アルミ受雷部１０を接続端子に接続固定するためのネジである。なお、皿ビス２０はアルミニウム材の表面をアルマイト加工されてなるものである。
【００４２】
以下に、上記複数のアルミ受雷部１０を所望の形状に接続する接続端子について図３〜図２１を用いて説明する。なお、接続端子とは、その各端部が相互に接続しようとする上記複数のアルミ受雷部１０のリップ溝形状断面内に挿入されて、該アルミ受雷部１０の一端と接続固定され、上記複数のアルミ受雷部１０の相互間を接続固定するものである。
【００４３】
まず、上記複数のアルミ受雷部１０の各々の間を一直線上に接続する接続端子について図３及び図４を用いて説明する。このとき使用する接続端子は、図３に示すＩ型継手であり、図３（ａ）は平面図、図３（ｂ）は側面図、図３（ｃ）は正面図を示したものである。
【００４４】
Ｉ型継手３０はアルミニウム材の表面をアルマイト加工されてなる平鋼であり、複数の受雷部の各々の間を、該受雷部の長手方向に一直線になるよう、接続固定するものであり、皿ビス２０を挿入可能な、４つのネジ穴３０ａを有する。
【００４５】
このようなＩ型継手３０を用いた場合のアルミ受雷部１０の接続方法について図４を用いて説明する。図４はＩ型継手を用いた場合のアルミ受雷部１０の施工図であり、図４（ａ）は平面図、図４（ｂ）は正面図である。
【００４６】
まず、複数の受雷部のうち、所望の２つのアルミ受雷部１０の片端側の取付口１０ｂ、すなわち、リップ溝形状断面内にＩ型継手３０を該Ｉ型継手３０を挿入し、これら２つのアルミ受雷部１０のリップ溝形状断面１０ｂ内にＩ型継手３０を保持する。このとき、上記各アルミ受雷部１０のネジ穴１０ａの位置と上記Ｉ型継手３０のネジ穴３０ａの位置が一致するようにする。
【００４７】
そして、上記ネジ穴１０ａ及びネジ穴３０ａに図２に示した皿ビス２０を挿入して、上記２つのアルミ受雷部１０の間を上記Ｉ型継手３０を用いて接続固定する。このとき、図４（ｂ）に示したように、皿ビス２０はアルミ受雷部１０の表面より突出することなく、平面を形成している。
このように、Ｉ型継手３０を用いて２つのアルミ受雷部１０を一直線上に接続することができる。
【００４８】
次に、２つのアルミ受雷部１０の間を二方向に分岐接続するＬ型継手について図５〜図１０を用いて説明する。Ｌ型継手としては、１型〜３型の３種類があり、以下に説明する。なお、Ｌ型継手１型〜３型はアルミニウム材の表面をアルマイト加工されてなるものである。
【００４９】
まず、Ｌ型継手１型について図５及び図６を用いて説明する。図５（ａ）はＬ型継手１型の正面図であり、図５（ｂ）はＬ型継手１型の右側面図である。
Ｌ型継手１型３１は、アルミ受雷部１０のリップ溝形状断面１０ｂ内に挿入される、２つの接合部３１ｂを有するものである。また、各接合部３１ｂはそれぞれ２つのネジ穴３１ａを有する。
【００５０】
なお、２つの接合部３１ｂの接続部分にはキャップ４０が設けられており、このキャップ４０の表面の一部に、本件出願人である大阪避雷針工業株式会社の登録商標『ＯＨＫ』の文字が浮き字により表示されている。
【００５１】
このようなＬ型継手１型３１を用いた場合のアルミ受雷部１０の接続方法について図６を用いて説明する。図６はＬ型継手１型を用いた場合のアルミ受雷部１０の施工図であり、図６（ａ）は平面図、図６（ｂ）は正面図である。なお、図６において、図４と同一または相当する構成要素については同じ符号を用い、その説明を省略する。このときの設置箇所としては、建造物の屋上やパラペットのコーナーなどが考えられる。
【００５２】
まず、Ｌ型継手１型３１の各接合部３１ｂをアルミ受雷部１０のリップ溝形状断面１０ｂ内に挿入する。
そして、上記各アルミ受雷部１０のネジ穴１０ａと上記Ｌ型継手１型３１の接合部３１ｂに設けられたネジ穴３１ａの位置が一致するよう、上記各アルミ受雷部１０のリップ溝形状断面１０ｂ内に上記Ｌ型継手１型３１を保持する。
【００５３】
さらに、そのネジ穴１０ａ、３１ａに皿ビス２０を挿入することにより、２つのアルミ受雷部１０を二方向に接続固定する。
このように、Ｌ型継手１型３１を用いて２つのアルミ受雷部１０を同一平面状にＬ字型に接続することができる。
【００５４】
次に、Ｌ型継手２型について図７及び図８を用いて説明する。図７（ａ）はＬ型継手２型の正面図、図７（ｂ）はＬ型継手２型の右側面図、図７（ｃ）はＬ型継手２型の底面図を示したものである。
【００５５】
Ｌ型継手２型３２は、アルミ受雷部１０のリップ溝形状断面１０ｂ内に挿入される、２つの接合部３２ｂを有するものである。また、各接合部３２ｂはそれぞれ２箇所のネジ穴３２ａを有する。
【００５６】
このようなＬ型継手２型３２を用いたアルミ受雷部１０の接続方法について図８を用いて説明する。図８はＬ型継手２型３２を用いた場合のアルミ受雷部１０の施工図であり、図８（ａ）は正面図、図８（ｂ）は右側面図、図８（ｃ）は平面図である。なお、図８において、図４と同一または相当する構成要素については同じ符号を用い、その説明を省略する。
【００５７】
まず、Ｌ型継手２型３２の各接合部３２ｂをアルミ受雷部１０のリップ溝形状断面１０ｂ内に挿入する。
そして、上記アルミ受雷部１０のネジ穴１０ａと上記Ｌ型継手２型３２の接合部３２ｂに設けられたネジ穴３２ａの位置が合うよう、上記各アルミ受雷部１０のリップ溝形状断面１０ｂ内に上記Ｌ型継手２型３２を保持する。
さらに、そのネジ穴１０ａ、３２ａに皿ビス２０を挿入することによりＬ型継手２型３２を用いて上記２つのアルミ受雷部１０が垂直になるよう接続固定する。
このように、Ｌ型継手２型３２を用いて２つのアルミ受雷部１０を、壁面等の出隅部分に設置することができる。
【００５８】
次に、Ｌ型継手３型について図９及び図１０を用いて説明する。図９（ａ）はＬ型継手３型の正面図、図９（ｂ）はＬ型継手３型の右側面図、図９（ｃ）はＬ型継手３型の底面図を示したものである。
【００５９】
Ｌ型継手３型３３は、アルミ受雷部１０のリップ溝形状断面１０ｂ内に挿入される、２つの接合部３３ｂを有するものである。また、各接合部３３ｂはそれぞれ２箇所のネジ穴３３ａを有する。
【００６０】
このようなＬ型継手３型３３を用いたアルミ受雷部１０の接続方法について図１０を用いて説明する。図１０はＬ型継手３型を用いた場合のアルミ受雷部１０の施工図であり、図１０（ａ）は正面図であり、図１０（ｂ）は右側面図、図１０（ｃ）は底面図である。なお、図１０において、図４と同一または相当する構成要素については同じ符号を用い、その説明を省略する。
【００６１】
まず、Ｌ型継手３型３３の各接合部３３ｂをアルミ受雷部１０のリップ溝形状断面１０ｂ内に挿入する。
そして、上記アルミ受雷部１０のネジ穴１０ａと上記Ｌ型継手３型３３の接合部３３ｂに設けられたネジ穴３３ａの位置が合うよう、上記各アルミ受雷部１０のリップ溝形状断面１０ｂ内に上記Ｌ型継手３型３３を保持する。
【００６２】
さらに、そのネジ穴１０ａ、３３ａに皿ビス２０を挿入することにより上記Ｌ型継手３型３３１０を用いて上記２つのアルミ受雷部１０が垂直になるよう接続固定する。
このように、Ｌ型継手３型３３を用いて２つのアルミ受雷部１０を、壁面等の入隅部分に設置することができる。
【００６３】
次に、３つのアルミ受雷部１０の各々の間を三方向に分岐接続する場合について図１１及び図１２を用いて説明する。このとき使用する接続端子は図１１に示したＴ型継手であり、図１１（ａ）は平面図、図１１（ｂ）は側面図、図１１（ｃ）は正面図を示したものである。
【００６４】
Ｔ型継手３４は、アルミ受雷部１０のリップ溝形状断面１０ｂ内に挿入される、３つの接合部３４ｂを有するものである。また、各接合部３４ｂはそれぞれ２箇所のネジ穴３４ａを有する。なお、Ｔ型継手３４は、アルミニウム材の表面をアルマイト加工されてなるものである。
【００６５】
このようなＴ型継手３４を用いたアルミ受雷部１０の接続方法について図１２を用いて説明する。図１２はＴ型継手３４を用いた場合のアルミ受雷部１０の施工図であり、図１２（ａ）は平面図、図１２（ｂ）は正面図である。なお、図１２において、図４と同一または相当する構成要素については同じ符号を用い、その説明を省略する。
【００６６】
まず、Ｔ型継手３４の各接合部３４ｂをアルミ受雷部１０のリップ溝形状断面１０ｂ内に挿入する。
そして、上記アルミ受雷部１０のネジ穴１０ａと上記Ｔ型継手３４の接合部３４ｂに設けられたネジ穴３４ａの位置が合うよう、上記Ｔ型継手３４を上記各アルミ受雷部１０のリップ溝形状断面１０ｂ内に保持する。
【００６７】
さらに、そのネジ穴１０ａ、３４ａに皿ビス２０を挿入することによりＴ型継手３４を用いて上記３つのアルミ受雷部１０の間を三方向に接続固定する。
このように、所望の３つのアルミ受雷部１０をＴ字型に分岐接続することができる。
【００６８】
次に、４つのアルミ受雷部１０を四方向に分岐接続する場合について図１３及び図１４を用いて説明する。このとき使用する接続端子は図１３に示した十字型継手であり、図１３（ａ）は平面図、図１３（ｂ）は正面図を示したものである。
【００６９】
十字型継手３５は、アルミ受雷部１０のリップ溝形状断面１０ｂ内に挿入される、４つの接合部３５ｂを有するものである。また、各接合部３５ｂはそれぞれ２箇所のネジ穴３５ａを有する。なお、十字型継手５３は、アルミニウム材の表面をアルマイト加工されてなるものである。
【００７０】
このような十字型継手３５を用いたアルミ受雷部１０の接続方法について図１４を用いて説明する。図１４は十字型継手３５を用いた場合のアルミ受雷部１０の施工図であり、図１４（ａ）は平面図、図１４（ｂ）は正面図である。なお、図１４において、図４と同一または相当する構成要素については同じ符号を用い、その説明を省略する。
【００７１】
まず、十字型継手３５の各接合部３５ｂをアルミ受雷部１０のリップ溝形状断面１０ｂ内に挿入する。
そして、上記各アルミ受雷部１０のネジ穴１０ａと上記十字型継手３５の接合部３５ｂに設けられたネジ穴３５ａの位置が合うよう、上記十字型継手３５の接合部３５ｂを上記各アルミ受雷部１０のリップ形状断面１０ｂ内に保持する。
【００７２】
さらに、そのネジ穴１０ａ、３５ａに皿ビス２０を挿入することにより十字型継手３５を用いて上記４つのアルミ受雷部１０の各々の間を四方向に接続固定する。
このように、十字型継手３５を用いて４つのアルミ受雷部１０を十字型に接続することができる。
【００７３】
次に、上記アルミ受雷部１０から導線を分岐させる分岐端子について図１７〜図１９を用いて説明する。なお、分岐端子は、アルミニウム材の表面をアルマイト加工されてなるものである。
【００７４】
図１７は、分岐端子の構成を示した図であり、図１７（ａ）は右側面図、図１７（ｂ）は平面図、図１７（ｃ）は正面図、図１７（ｄ）は分岐端子の蓋体の正面図、図１７（ｅ）は蓋体の右側面図を示したものである。また、図１７（ｆ）は、アルミ導線取付部を蓋体で被覆したときの分岐端子の右側面図である。なお、分岐端子の接合部に皿ネジ２０を挿入した状態を示している。
【００７５】
分岐端子５０は、アルミ受雷部１０を接合するための２つの接合部５０ｂと、アルミ導線５２が挿入されるアルミ導線取付部５０ｃと、上記２つの接合部５０ｂと上記アルミ導線取付部５０ｃとを接続している分岐部５０ｄと、回転可能なヘッドを有する、上記アルミ導線取付部５０ｃを被覆する筒型形状である蓋体５０ｅとを備え、上記蓋体５０ｅを用いて上記アルミ導線取付部５０ｃを圧着することにより分岐接続しようとするアルミ導線５２を上記アルミ導線取付部５０ｃに固定する圧着端子である。
【００７６】
なお、分岐部５０ｄの表面の一部には、本件出願人である大阪避雷針工業株式会社の登録商標『ＯＨＫ』の文字が浮き字により表示されている。また、各接合部５０ｂはそれぞれ２つのネジ穴５０ａを有するものである。
【００７７】
このような分岐端子５０を用いた場合の分岐接続について図１７及び図１９を用いて説明する。
まず、図１７（ａ）に示すように、分岐端子５０の各接合部５０ｂの各々にアルミ受雷部１０を取付け、皿ビス２０を用いて接続固定する。
【００７８】
また、アルミ導線取付部５０ｃには、アルミ導線５２を取付けた後、蓋体５０ｅを用いてアルミ導線５２を被覆保護するとともに、分岐端子５０の分岐部５１ｄを押さえながら蓋体５０ｅのヘッド部分を回転させてアルミ導線取部５０ｃを圧着固定する。このとき、アルミ導線５２は蓋体５０ｅに設けられた、　図１７（ｅ）に示した穴から、外部へ出ている。
【００７９】
このようにすれば、従来のようにビスを用いて導線を分岐端子に取り付けた後、さらに半田ロー付けすることにより固定するという作業をすることなく、簡単にアルミ導線の分岐接続を行うことができる。
【００８０】
なお、上記説明では、図１７に示した分岐端子５０を用いて説明したが、図１８の斜線部に示したように内部が銅製であっても良い。図１８は、内部が銅製の分岐端子の構成を示した図であり、図１８（ａ）は右側面図、図１８（ｂ）は平面図、図１８（ｃ）は正面図、図１８（ｄ）は分岐端子の蓋体の正面図、図１８（ｅ）は蓋体の右側面図を示したものである。また、図１８（ｆ）は、アルミ導線取付部を蓋体で被覆したときの分岐端子の右側面図である。なお、分岐端子の接合部に皿ネジ２０を挿入した状態を示している。
【００８１】
図１８において、分岐端子５１は、アルミ受雷部１０を接合するための２つの接合部５１ｂと、アルミ導線５２を接合するためのアルミ導線取付部５１ｃと、上記各接合部５１ｂと上記アルミ導線取付部５１ｃとを接続している分岐部５１ｄと、回転可能なヘッドを有する、上記アルミ導線取付部５１ｃを被覆する筒型形状であって、その内部（図１８中の斜線部）が銅製である蓋体５１ｅとを備え、上記蓋体５１ｅを用いて上記アルミ導線取付部５１ｃを圧着することにより分岐接続しようとするアルミ導線５２を上記アルミ導線取付部５１ｃに固定する圧着端子である。
【００８２】
なお、分岐部５０ｄの表面の一部には、本件出願人である大阪避雷針工業株式会社の登録商標『ＯＨＫ』の文字が浮き字により表示されている。また、上記分岐部、上記各接合部５１ｂはそれぞれ２つのネジ穴５１ａを有するものである。
【００８３】
なお、雷保護システムを構成する全ての受雷部を上記建造物上に設置したとき、該雷保護システムの末端に位置する受雷部の開放端を被覆保護する端子キャップ４１を、図１６に示すようにアルミ受雷部１０の開放端に取り付けるようにすれば、アルミ受雷部１０の端末側を損傷から保護することができる。また、上記端末キャップ４１はポリカーボネート樹脂製でアルミ色をしており、アルミ受雷部１０や接続端子と同一色なので目立つことなく、使用することができる。
【００８４】
ここで、端子キャップ４１の構成について図１５を用いて説明する。図１５（ａ）は端末キャップ４１の平面図であり、本件出願人である大阪避雷針工業株式会社の登録商標『ＯＨＫ』の文字が浮き字４１ａにより表示されている。また、図１５（ｂ）は正面図、図１５（ｃ）はＡ−Ａ´断面図である。図１５（ｃ）に示すように、端末キャップ４１はそのＡ−Ａ´断面がＥ字型になるよう空洞４１ｂ有するものであり、端末キャップ４１の空洞４１ｂ部分に受雷部１０の端部を挿入して該受雷部１０の末端部を保護するものである。
【００８５】
このような形状の端末キャップ４１は図１６に示すように取り付けられ、上から見ると、図１６（ａ）のように本件出願人である大阪避雷針工業株式会社の登録商標『ＯＨＫ』の浮文字４１ａを確認することができ、図１６（ｂ）に示したように、アルミ受雷部１０の開放端を被覆保護していることがわかる。
【００８６】
また、図１６（ｃ）はＢ−Ｂ´拡大断面図を示したものであるが、ここで示しているように、アルミ受雷部１０のリップ溝形状断面１０ｂの外周を被覆するよう中間キャップ４２を用いて留めるようにすれば、アルミ受雷部１０をより堅固に取り付けることができる。なお、中間キャップ４２も上述の端末キャップ４１と同様、ポリカーボネート樹脂製でアルミ色である。
【００８７】
このようにアルミ受雷部１０の開放端に取り付けられた端末キャップ４１を、さらにバイアスをかけるようにすれば、簡単にはずれないよう取り付けることができる。また、このような端末キャップ４１の取り付け作業を現場ではなく工場で予めしておくようにすれば、現場での作業負担を減らすことができるとともに、バイアス加工用の装置を用意する必要もないので、よりコストを削減することができる、
【００８８】
このような実施の形態１によれば、アルミ受雷部１０が有するリップ溝形状断面中に、Ｉ型継手３０や十字型継手３５などの接続端子を挿入した後、皿ビス２０を用いて複数のアルミ受雷部１０の各々の間をそれぞれ接続端子を介して接続するようにしたので、簡単な構成で、かつ、設置も容易な雷保護システムを実現可能である。
【００８９】
また、アルミ受雷部１０は、その横幅は２０ｍｍ、その長さは４ｍまたは５ｍ、その高さは９．８ｍｍ、その断面積は１００ｍｍ２としたので、従来のアルミ導帯よりも横幅を５ｍｍ減少させることができ、その結果、雷保護システム全体をコンパクトにすることができる。
【００９０】
また、アルミ受雷部１０、及び接続端子には、アルミニウム材の表面をアルマイト加工したものを用いたので、特に該アルミ受雷部、及び接続端子の耐食性を大きく向上させることができる。
【００９１】
また、上記接続端子は、Ｉ型３０、Ｌ型３１〜３３、Ｔ型３４、十字型３５の形状のものとし、上記リップ溝形状断面を有するアルミ受雷部１０内に密接して取り付けられる形状のものとしたので、従来のようにボルトとナットよりなるネジ部材などを用いて施工したものよりも、施工完了時の雷保護システムの各部の厚さを小さくすることができ、全体構造のコンパクト化を実現することができる。
【００９２】
また、上記接続端子として、アルミ受雷部１０を接合するための２つの接合部５０ｂと、アルミ導線５２を接合するためのアルミ導線取付部５０ｃと、上記２つの接合部５０ｂと上記アルミ導線取付部５０ｃとを接続している分岐部５０ｄと、アルミ導線５２を外部に分岐するための開口が設けられた上記アルミ導線取付部５０ｃの蓋体５０ｅとを有する、分岐端子５０を用いて、アルミ受雷部１０からアルミ導線５２を分岐接続するようにしたので、蓋体５０ｅによりアルミ導線５２を被覆保護し、かつ接続固定することができ、従来のネジを用いた接続固定のように、導線が分岐端子からはずれるなどの問題が生じることなく、アルミ導線５２を分岐接続することができる。
【００９３】
【発明の効果】
以上のように、本発明の請求項１に記載の雷保護システムの受雷部によれば、雷撃を受け止めるための突針、及び該突針と電気的に接続される複数の受雷部を、その各々の間をそれぞれ接続端子を介して接続して、建造物上に設置し、その建造物を落雷から保護する雷保護システムの受雷部であって、該受雷部は、コ字状断面を有する長尺状のものであり、該コ字状断面内に上記接続端子を挿入し、該受雷部と該接続端子とを接続固定可能なものであることより、簡単な構成で、かつ、設置も容易な雷保護システムを実現可能である。
【００９４】
また、本発明の請求項２に記載の雷保護システムの受雷部によれば、請求項１に記載の雷保護システムの受雷部において、該受雷部が有するコ字状断面は、その両先端部を内側に折り曲げたリップ溝形状であることより、複数の受雷部を接続するための接続端子が、何らかの衝撃などによりはずれ、紛失してしまったりするのを防ぐとともに、複数の受雷部の間の接続をより簡単に行うことができる。
【００９５】
また、本発明の請求項３に記載の雷保護システムの受雷部によれば、請求項１または請求項２に記載の雷保護システムの受雷部において、該受雷部は、その両端のコ字状断面部の上面に、該コ字状断面部と該コ字状断面内に挿入される上記接続端子とを接続固定するための皿ビスを挿入可能なネジ穴を有することより、受雷部と接続端子との接続部分と、該受雷部を等価断面とすることができ、その結果、雷保護システム全体をコンパクトにすることができる。
【００９６】
また、本発明の請求項４に記載の雷保護システムの受雷部によれば、請求項１ないし請求項３のいずれか１項に記載の雷保護システムの受雷部において、該受雷部は、材質はアルミニウムで、表面をアルマイト加工してなるものであることより、該受雷部の耐食性、及び表面の剛性を大きく向上させることができる。
【００９７】
また、本発明の請求項５に記載の雷針システムの受雷部によれば、請求項１ないし請求項４のいずれか１項に記載の雷保護システムの受雷部において、該受雷部は、その横幅が２０ｍｍ、その長さが４ｍ〜５ｍ、その高さが９．８ｍｍ、その断面積が１００ｍｍ２であることより、従来の受雷部に比し、その横幅を減少させることができ、その結果、雷保護システム全体をコンパクトにすることができる。
【００９８】
また、本発明の請求項６に記載の雷保護システムの受雷部によれば、請求項１ないし請求項４のいずれか１項に記載の雷保護システムの受雷部において、該受雷部は、その横幅が２０ｍｍ、その長さが５ｍ、その高さが８．３ｍｍ、その断面積が７０ｍｍ２であることより、従来の受雷部に比し、その横幅を減少させることができ、その結果、雷保護システム全体をよりコンパクトにすることができる。
【００９９】
また、本発明の請求項７に記載の雷保護システムの受雷部によれば、請求項１ないし請求項６のいずれか１項に記載の雷保護システムの受雷部において、該雷保護システムを構成する全ての受雷部を上記建造物上に設置したとき、上記雷保護システムの末端に位置する受雷部の開放端を被覆保護する端末キャップを有するものであることより、受雷部の破損を防ぐことができ、該受雷部の末端の保護のための無駄な手間を省くことができ、雷保護システムの設置のためのコストの削減を得ることができる。
【０１００】
また、本発明の請求項８に記載の雷保護システムの接続端子によれば、雷撃を受け止めるための突針、及び該突針と電気的に接続される複数の受雷部を、その各々の間をそれぞれ接続端子を介して接続して、建造物上に設置し、その建造物を落雷から保護する雷保護システムの接続端子であって、上記受雷部はコ字状断面を有する長尺状のものであり、上記接続端子は、その各端部が相互に接続しようとする上記複数の受雷部の各一端のコ字状断面内に挿入されて、該受雷部の一端と接続固定され、上記複数の受雷部の相互間を接続固定するものであることより、簡単な構成で、かつ、設置も容易な雷保護システムを実現可能である。
【０１０１】
また、本発明の請求項９に記載の雷保護システムの接続端子によれば、請求項８に記載の雷保護システムの接続端子において、上記受雷部が有するコ字状断面は、その両先端部を内側に折り曲げたリップ溝形状であり、上記接続端子は、上記リップ溝形状断面内に挿入されて、上記複数の受雷部の相互間を接続固定するものであることより、受雷部を接続端子に堅固に接続することができる。
【０１０２】
また、本発明の請求項１０に記載の雷保護システムの接続端子によれば、請求項８または請求項９に記載の雷保護システムの接続端子において、該接続端子は、その各端部の上面に、上記受雷部と接続固定するための皿ビスを挿入可能なネジ穴を有することより、受雷部を接続端子により堅固に取り付けることができる。
【０１０３】
また、本発明の請求項１１に記載の雷保護システムの接続端子によれば、請求項８ないし請求項９のいずれか１項に記載の接続端子において、該接続端子は、アルミニウム材の表面をアルマイト加工してなるものであることより、接続端子の耐食性、及び表面の剛性を大きく向上させることができる。
【０１０４】
また、本発明の請求項１２に記載の雷保護システムの接続端子によれば、請求項８ないし請求項１１のいずれか１項に記載の接続端子において、該接続端子は、上記複数の受雷部の各々の間を、該受雷部の長手方向に一直線になるよう、接続固定するものであることより、複数の受雷部を一直線上に設置することができる。
【０１０５】
また、本発明の請求項１３に記載の雷保護システムの接続端子によれば、請求項８または請求項９に記載の接続端子において、該接続端子は、請求項８ないし請求項１１のいずれか１項に記載の雷保護システムの接続端子において、該接続端子は、上記各受雷部のコ字状断面内に挿入される、２つの接合部を有することより、受雷部を二方向に分岐接続させて設置することができる。
【０１０６】
また、本発明の請求項１４に記載の雷保護システムの接続端子によれば、請求項１３に記載の雷保護システムの接続端子において、該接続端子は、上記各接合部に挿入された受雷部をＬ字型に接続するものであることより、受雷部をＬ字型に設置することができる。
【０１０７】
また、本発明の請求項１５に記載の雷保護システムの接続端子によれば、請求項８ないし請求項１１のいずれか１項に記載の雷保護システムの接続端子において、該接続端子は、上記各受雷部のコ字状断面内に挿入される、３つの接合部を有することより、受雷部をＴ字型に設置することができる。
【０１０８】
また、本発明の請求項１６に記載の雷保護システムの接続端子によれば、請求項８ないし請求項１１のいずれか１項に記載の接続端子において、該接続端子は、上記各受雷部のコ字状断面内に挿入される、４つの接合部を有することより、受雷部を十字型に設置することができる。
【０１０９】
また、本発明の請求項１７に記載の雷保護システムの接続端子によれば、請求項８ないし請求項１１のいずれか１項に記載の接続端子において、該接続端子は、上記受雷部から導線を分岐接続するための分岐端子であることより、受雷部から導線を分岐接続することができる。
【０１１０】
また、本発明の請求項１８に記載の雷保護システムの接続端子によれば、請求項１７に記載の接続端子において、上記分岐端子は、上記受雷部のコ字状断面内に挿入される、２つの接合部と、分岐接続しようとする導線を挿入して取り付ける導線取付部と、該導線取付部を被覆保護するとともに固定するための蓋体と、を有するものであることより、簡単な構成で導線を被覆保護し、受雷部から分岐接続することができ、また、従来のネジを用いた固定よりも導線がはずれにくい。
【０１１１】
また、本発明の請求項１９に記載の雷保護システムの接続端子によれば、請求項１８に記載の接続端子において、上記分岐端子の上記導線取付部の内部は銅製であるようにしたので、銅導線を分岐接続することができる。
【０１１２】
また、本発明の請求項２０に記載の雷保護システムの接続端子によれば、請求項１８に記載の雷保護システムの接続端子において、上記蓋体は、回転可能なヘッドを有する、上記導線取付部を被覆する筒型形状であって、上記ヘッドを回転させることにより上記導線取付部を圧着し、該導線取付部に上記導線を固定することより、より確実にかつ堅固に受雷部から導体を分岐接続することができる。
【図面の簡単な説明】
【図１】受雷部の構成を示した図である。
【図２】皿ビスの構成を示した図である。
【図３】Ｉ型継手の構成を示した図である。
【図４】Ｉ型継手を用いた複数の受雷部の接続の様子を示した図である。
【図５】Ｌ型継手１型の構成を示した図である。
【図６】Ｌ型継手１型を用いた複数の受雷部の接続の様子を示した図である。
【図７】Ｌ型継手２型の構成を示した図である。
【図８】Ｌ型継手２型を用いた複数の受雷部の接続の様子を示した図である。
【図９】Ｌ型継手３型の構成を示した図である。
【図１０】Ｌ型継手３型を用いた複数のアルミ受雷部の接続の様子を示した図である。
【図１１】Ｔ型継手の構成を示した図である。
【図１２】Ｔ型継手を用いた複数のアルミ受雷部の接続の様子を示した図である。
【図１３】十字型継手の構成を示した図である。
【図１４】十字型継手を用いた複数の受雷部の接続の様子を示した図である。
【図１５】端末キャップの構成を示した図である。
【図１６】端末キャップにより被覆保護されるアルミ受雷部を示す図である。
【図１７】分岐端子の構成を示した図である。
【図１８】内部が銅で構成された分岐端子の構成を示した図である。
【図１９】受雷部からアルミ導線を分岐した図である。
【図２０】従来のＩ型継手を用いたアルミ導帯間の接続を示す図である。
【図２１】従来の分岐端子を用いたアルミ導帯と避雷導線の接続を示す図である。
【符号の説明】
１　　　アルミ導帯
２　　　ネジ部材
３　　　Ｉ型継手
４　　　支持金物
５　　　分岐端子
６　　　避雷導線
７ａ　　第１の接続端子
７ｂ　　第２の接続端子
１０　　アルミ受雷部
１０ａ　ネジ穴
１０ｂ　取付口（リップ溝形状断面）
２０　　皿ビス
３０　　Ｉ型継手
３０ａ　ネジ穴
３１　　Ｌ型継手１型
３１ａ　ネジ穴
３１ｂ　接合部
３２　　Ｌ型継手２型
３２ａ　ネジ穴
３２ｂ　接合部
３３　　Ｌ型継手３型
３３ａ　ネジ穴
３３ｂ　接合部
３４　　Ｔ型継手
３４ａ　ネジ穴
３４ｂ　接合部
３５　　十字型継手
３５ａ　ネジ穴
３５ｂ　接合部
４０　　キャップ
４１　　端末キャップ
４２　　中間キャップ
５０　　分岐端子
５０ａ　ネジ穴
５０ｂ　接合部
５０ｃ　アルミ導線取付部
５０ｄ　分岐部
５０ｅ　蓋体
５１　　分岐端子
５１ａ　ネジ穴
５１ｂ　接合部
５１ｃ　アルミ導線取付部
５１ｄ　分岐部
５１ｅ　蓋体
５２　　アルミ導線
【図１】
2004146124.tif 000003
【図２】
2004146124.tif 000004
【図３】
2004146124.tif 000005
【図４】
2004146124.tif 000006
【図５】
2004146124.tif 000007
【図６】
2004146124.tif 000008
【図７】
2004146124.tif 000009
【図８】
2004146124.tif 000010
【図９】
2004146124.tif 000011
【図１０】
2004146124.tif 000012
【図１１】
2004146124.tif 000013
【図１２】
2004146124.tif 000014
【図１３】
2004146124.tif 000015
【図１４】
2004146124.tif 000016
【図１５】
2004146124.tif 000017
【図１６】
2004146124.tif 000018
【図１７】
2004146124.tif 000019
【図１８】
2004146124.tif 000020
【図１９】
2004146124.tif 000021
【図２０】
2004146124.tif 000022
【図２１】
2004146124.tif 000023